(57)【要約】      （修正有）【課題】どのような形態の荷物であっても、傷つけることがなく、衝撃等によりパレットの木くず等散乱させることがないパッドを提供する。【解決手段】フォークリフトのフォーク部１２又はガード部１３に配置するパッド４であって、緩衝材５と、この緩衝材を覆う防水シート６とを備えたパッドである。また、パッドと、フォーク部またはガード部との接続はバンド８または磁石１１により行う。【選択図】  図３
2007031074.tif 000002
【特許請求の範囲】
【請求項１】
フォークリフトのフォーク部又はガード部に配置するパッドであって、緩衝材と、この緩衝材を覆う防水シートとを備えたパッド。
【請求項２】
請求項１において、緩衝材が、発泡樹脂成形体、又は、ゴムであるパッド。
【請求項３】
請求項１又は２において、パッドと、フォーク部又はガード部との接続が、バンド又は磁石により行われるパッド。
【発明の詳細な説明】
【技術分野】
【０００１】
本発明は、パッド、特にフォークリフトのフォーク部又はガード部に設置して使用するパッドに関する。
【背景技術】
【０００２】
荷物移送は、荷物の重量及び大きさにより、人により又は機器を用いて行うが、荷物が重量物又は大きなサイズとなると、フォークリフトを使用することが多い。
実際のフォークリフト使用形態では、荷物をパレットの上に載置し、このパレットの隙間にフォーク部を差し込んで移送することが行われている。
【０００３】
図１は、フォークリフトを示した図面であり、（ａ）はフォーク部及びガード部の拡大斜視図を示し、（ｂ）はフォークリフトの概略側面図を示す。
フォークリフトは、車輪のついた走行部分の前面に、マスト１が立設してあり、このマスト１に対して、バックレスト２及びフォーク３が取り付けられている。バックレスト２及びフォーク３は、マスト１に対して上下に可動するものであり、フォーク３に掛けたパレット又は荷物が、運転席に倒れないようにバックレスト２にて支えられながら、上下に可動する。
また、近年では、荷物を移動する際に、中身をガードする目的で、荷物の周囲に段ボール等の緩衝材を巻き付けることも行われている（下記特許文献１参照）。
【特許文献１】特開平１１−３０１７４０号公報
【発明の開示】
【発明が解決しようとする課題】
【０００４】
しかしながら、図１に示すフォークリフトにより荷物を移送する場合は、フォーク部により荷物を傷つけないように、細心の注意を払う必要があり、仮にパレットを使用して移送する場合であっても、パレットを傷つけて木くず等を荷物に混入させないようにする必要がある。
また、特許文献１に示されるように、荷物自体に緩衝材を設置した場合は、フォーク部により荷物を傷つける心配がないが、全ての荷物がそのようになっているかは不明であり、事前に確認するだけでも煩雑な作業となる。
【０００５】
本発明は、前述の課題を解決するものであり、どのような形態の荷物であっても、傷つけることがなく、衝撃等によりパレットの木くず等散乱させることがないパッドを提供することを目的とする。
【課題を解決するための手段】
【０００６】
（１）本発明は、フォークリフトのフォーク部又はガード部に配置するパッドであって、緩衝材と、この緩衝材を覆う防水シートとを備えたパッドである。
（２）項（１）において、緩衝材が、発泡樹脂成形体、又は、ゴムであるパッドである。
（３）項（１）又は（２）において、パッドと、フォーク部又はガード部との接続が、バンド又は磁石により行われるパッドである。
【発明の効果】
【０００７】
本発明のパッドによれば、パッドをフォーク部又はガード部に設けることにより、荷物又はパレットと、フォーク部又はガード部との間の衝撃を緩衝することができるので、より安全に荷物の移送を行えると共に、パレットを使用した場合であってもパレットを傷つけ、木くずを散乱させることがない。また、本発明のパッドは、防水シートにより覆われるものであり、天候に関係なく設置したままの状態で待機することができる。
【０００８】
緩衝材が、発泡樹脂成形体、又は、ゴムである場合は、緩衝材自体を軽量化することで、フォークリフトにかかる負荷を軽減することができると共に、より大きな緩衝効果を得ることができる。
【０００９】
パッドと、フォーク部又はガード部との接続が、バンド又は磁石により行われる場合は、パッドの着脱が容易に行え、防水シートが破れた際に、素早い交換が行える。
【発明を実施するための最良の形態】
【００１０】
本発明に用いるフォークリフトは、特に制限されるものではなく、フォーク部及びガード部を有するものであれば良い。
フォーク部は、地面に対し水平になるツメ部と、このツメ部に結合し地面と垂直となる垂直部とを備えており、ガード部は、バックレストとも呼ばれ、上下動させる荷物又はパレットが、運転者側に倒れないようにするものである。
【００１１】
本発明に用いる緩衝材は、段ボールの積層体、発泡樹脂成形体（発泡スチレン、発泡ウレタンフォーム等）、自然又は合成ゴム等を用いることができ、固形物同士の衝突を緩衝しうるものであれば、特に制限されるものではない。
また、特に発泡ウレタンフォームは、その緩衝性、コスト、重量から好ましく用いることができる。
【００１２】
本発明に用いる防水シートは、緩衝材が水を吸収しないように覆うものであり、防水性能があれば特に制限されるものでなく、素材自体が防水性能を有するか、又は、素材に防水スプレーを塗布することにより防水性を付加してもよい。
より具体的には、タ−ポリン（塩ビシ−ト）を用いることができる。
【００１３】
本発明に用いるパッドは、フォーク部又はガード部に接続されるものであり、その接続方法は、任意の方法を用いることができる。
中でも、フォーク部又はガード部が金属製であることから、接続としては、パッドの一部に磁石を貼り付けておき、この磁石とフォーク部又はガード部とを磁力接着することが好ましい。
また、予め、フォーク部又はガード部にバントを固定しておき、面ファスナーによりこのバンドと、パッドとを接着するようにすることもできる。
【実施例】
【００１４】
以下、図面を用いて本発明の実施例を説明する。
図２は、本発明の１実施例であり、（ａ）はパッドの平面図、（ｂ）は（ａ）のＡ−Ａ断面図を示す。
パッド４は、その内部に緩衝材となる発泡ウレタンフォーム５を封入してあり、この発泡ウレタンフォーム５の周囲を防水シート６にて覆っている。また、防水シートの１面には、面ファスナー７の片面を貼り付けてある。
【００１５】
図３は、図２に示すパッドを固定するバンド部分を示した図面であり、（ａ）はバンドの平面図、（ｂ）は（ａ）のＢ−Ｂ断面図を示す。
バンド８は、その両端に面ファスナー７を設けており、バンド８を巻き付けた際に、面ファスナー７同士が接着することにより、バンド自体を固定する。
また、バンド８の中央部には、樹脂成形品の補強材９を防水シート６にて覆い、一面に面ファスナー７を貼り付けたパッドの固定具１０が配置してある。固定具１０の面ファスナー７は、図２に示すパッドの面ファスナー７と接着することにより、パッドを固定する。尚、固定具１０の大きさは、特に制限されるものではないが、貼り付けるパッドの大きさと略同一のものであることが好ましい。
【００１６】
図２及び図３を用いて説明したパッドは、バンドを予めフォーク部又はガード部に固定しておき、そのバンドに対してパッドを固定するもので、必要に応じてパッド部分のみを交換することができ、必要に応じてパッドの大きさ、形状を、容易に変更することができる。
【００１７】
図４は、本発明の別の実施例を示すものであり、（ａ）はパッドの平面図、（ｂ）は（ａ）のＣ−Ｃ断面図を示す。
本実施例では、緩衝材となる発泡ウレタンフォーム５及び磁石１１を防水シート６にて覆っている。発泡ウレタンフォーム５と磁石１１との間には、何も挟み込んではおらず、磁石１１の大きさを発泡ウレタンフォーム５と同一にしてある。
発泡ウレタンフォーム５と磁石１１との間は、接着しても良いが、リサイクル性を考慮すれば、非接着とすることが好ましく、非接着であっても、防水シート６により固定されるので問題とはならない。
パッド４を固定する際は、単純に磁石１１の面を金属物に当てるだけで良く、容易に離接着を行うことができる。
【００１８】
図５は、図４に示すパッドの固定部位を示す斜視図である。
本実施例では、パッド４をフォーク部１２の垂直面２箇所に固定している。この部位にパッド４を固定した場合は、フォークのツメ部にて荷物を引っ掛けた際に、荷物とフォーク部との間の緩衝作用により、荷物を破損することがなく、パレットの場合であっても、パレットの端部を衝突の衝撃により破損することがない。
【００１９】
図６は、図４に示すパッドの別の固定位置を示す斜視図である。
本実施例では、パッド４をガード部２箇所に固定している。システムキッチン、浴室ユニット等の大きなものを移送する場合は、フォーク部よりも、ガード部にパッドを設けることが好ましく、より安定して移送することができる。また、この際、パッド４の前面をフォーク部（垂直面）の前面よりも多少突出させることが好ましく、このようにすることで、より一層の緩衝効果を得ることができる。
【図面の簡単な説明】
【００２０】
【図１】フォークリフトを示した図面であり、（ａ）はフォーク部及びガード部の拡大斜視図を示し、（ｂ）はフォークリフトの概略側面図を示す。
【図２】本発明の１実施例であり、（ａ）はパッドの平面図、（ｂ）は（ａ）のＡ−Ａ断面図を示す。
【図３】図２に示すパッドを固定するバンド部分を示した図面であり、（ａ）はバンドの平面図、（ｂ）は（ａ）のＢ−Ｂ断面図を示す。
【図４】図４は、本発明の別の実施例を示すものであり、（ａ）はパッドの平面図、（ｂ）は（ａ）のＣ−Ｃ断面図を示す。
【図５】図４に示すパッドの固定部位を示す斜視図である。
【図６】図４に示すパッドの別の固定位置を示す斜視図である。
【符号の説明】
【００２１】
１…マスト、２…バックレスト、３…フォーク、４…パッド、５…発泡ウレタンフォーム、６…防水シート、７…面ファスナー、８…バンド、９…補強材、１０…固定具、１１…磁石。
【図１】
2007031074.tif 000003
【図２】
2007031074.tif 000004
【図３】
2007031074.tif 000005
【図４】
2007031074.tif 000006
【図５】
2007031074.tif 000007
【図６】
2007031074.tif 000008